(57)【要約】【課題】ポンプ停止状態における洗浄水への薬剤の混入を低減し得る便器装置を提供する。【解決手段】便器装置１は、ボウル部４に洗浄水を供給する洗浄水供給路１０と、この洗浄水供給路に向けて薬剤を供給する薬剤供給路２０と、この薬剤供給路に接続されるチューブ２６及びこのチューブを押圧する押圧部２８が設けられた回転体２７を有したチューブポンプ２５と、前記回転体を正回転させて前記洗浄水供給路に向けて前記薬剤を供給する薬剤供給モードを実行させた後に、前記回転体を逆回転させて前記洗浄水供給路の流体を前記薬剤供給路内に吸引する吸引モードを実行させる制御部３０と、を備えている。【選択図】図１
2019027065.tif 000002
【特許請求の範囲】
【請求項１】
ボウル部に洗浄水を供給する洗浄水供給路と、この洗浄水供給路に向けて薬剤を供給する薬剤供給路と、この薬剤供給路に接続されるチューブ及びこのチューブを押圧する押圧部が設けられた回転体を有したチューブポンプと、前記回転体を正回転させて前記洗浄水供給路に向けて前記薬剤を供給する薬剤供給モードを実行させた後に、前記回転体を逆回転させて前記洗浄水供給路の流体を前記薬剤供給路内に吸引する吸引モードを実行させる制御部と、を備えていることを特徴とする便器装置。
【請求項２】
請求項１において、
前記洗浄水供給路には、前記薬剤供給路の接続部よりも上流側において該洗浄水供給路に空気を導入する空気導入路が接続されており、
前記制御部は、前記洗浄水供給路への洗浄水の供給を停止させて該洗浄水供給路に空気を導入させた後に、前記吸引モードを実行させることを特徴とする便器装置。
【請求項３】
請求項１または２において、
前記薬剤供給路における前記洗浄水供給路との接続側となる下流側端部の流路径は、上流側よりも小であることを特徴とする便器装置。
【請求項４】
請求項１乃至３のいずれか１項において、
前記薬剤供給路は、上流側部位に設けられ略水平方向に延びる上流側流路と、この上流側流路の下方側に連なるようにかつ該上流側流路に対して略直交状に設けられた下流側流路と、を備えており、
前記制御部は、前記洗浄水供給路の流体が前記上流側流路に至るように前記吸引モードを実行させることを特徴とする便器装置。
【発明の詳細な説明】
【技術分野】
【０００１】
本発明は、便器装置に関する。
【背景技術】
【０００２】
従来より、ボウル部に供給される洗浄水に液体洗剤等の薬剤を混入させ、ボウル部に泡洗浄水を供給する構成とされた便器装置が知られている。
例えば、下記特許文献１には、便器ボウルに供給される洗浄水に薬剤を投入する際に作動されるチューブポンプを設けた便器装置が開示されている。
【先行技術文献】
【特許文献】
【０００３】
【特許文献１】特開２０１５−２２４４４９号公報
【発明の概要】
【発明が解決しようとする課題】
【０００４】
しかしながら、上記特許文献１に記載された便器装置では、ポンプを停止させた状態で洗浄水を供給する際に、洗浄水供給路を通過する洗浄水による負圧作用によって薬剤供給路から洗浄水供給路に薬剤が吸引され、薬剤の予期せぬ消費が生じる懸念がある。
【０００５】
本発明は、上記実情に鑑みてなされたものであり、ポンプ停止状態における洗浄水への薬剤の混入を低減し得る便器装置を提供することを目的としている。
【課題を解決するための手段】
【０００６】
上記目的を達成するために、本発明に係る便器装置は、ボウル部に洗浄水を供給する洗浄水供給路と、この洗浄水供給路に向けて薬剤を供給する薬剤供給路と、この薬剤供給路に接続されるチューブ及びこのチューブを押圧する押圧部が設けられた回転体を有したチューブポンプと、前記回転体を正回転させて前記洗浄水供給路に向けて前記薬剤を供給する薬剤供給モードを実行させた後に、前記回転体を逆回転させて前記洗浄水供給路の流体を前記薬剤供給路内に吸引する吸引モードを実行させる制御部と、を備えていることを特徴とする。
【発明の効果】
【０００７】
本発明に係る便器装置は、上述のような構成としたことで、ポンプ停止状態における洗浄水への薬剤の混入を低減することができる。
【図面の簡単な説明】
【０００８】
【図１】（ａ）は、本発明の一実施形態に係る便器装置の一例を模式的に示す一部省略概略縦断面図、（ｂ）は、同便器装置において実行される動作の一例を模式的に示す概略タイムチャートである。
【図２】（ａ）、（ｂ）は、同便器装置の一部省略概略縦断面図である。
【図３】（ａ）、（ｂ）は、本発明の他の実施形態に係る便器装置の一例を模式的に示し、図２（ａ）、（ｂ）にそれぞれ対応させた一部省略概略縦断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、便器装置を設置した状態を基準として、上下方向等を説明する。
【００１０】
図１及び図２は、第１実施形態に係る便器装置を模式的に示す図である。
本実施形態に係る便器装置１は、図１（ａ）に示すように、腰掛式（いわゆる洋式）の便器装置１とされている。この便器装置１は、トイレ空間内の床や壁等の設置部に設置される。また、この便器装置１には、上方に向けて開口するすり鉢状とされたボウル部（便鉢）４や、ボウル部４の周囲を囲むスカート部等が設けられている。また、便器装置１には、便器本体に対して便器幅方向に軸方向を沿わせた軸回りに起倒自在（回転自在）とされた便座７及び便蓋８や、これら便座７及び便蓋８を回転自在に支持し、種々の機構部を内蔵する機構本体部９が設けられている。また、この便器装置１の機構本体部９や適所に、便座７や便蓋８を開閉する開閉装置や、ボウル部４内を脱臭する脱臭装置、便座７を温める加熱装置、局部を洗浄する局部洗浄装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１１】
また、便器装置１には、水道管等の給水管２に接続される給水機構や、床側または壁側の排水管３に接続される排水機構等が設けられている。
排水機構は、本実施形態では、ボウル部４の底部に設けられた排水口５に接続された筒状トラップ６を駆動機構によって回動させて排水及び封水する構成とされたいわゆる機械式排出機構とされている。なお、排水機構としては、このような構成とされたものに限られず、サイホン式やサイホンゼット式、サイホンボルテックス式、ネオボルテックス式、洗い落とし式等の他の排水機構を採用するようにしてもよい。また、図例では、便器装置１を、水洗タンク（ロータンク）を備えていない、いわゆるタンクレスタイプとした例を示しているが、水洗タンクを備えた構成としてもよい。
【００１２】
給水機構は、給水管２に接続され、ボウル部４に洗浄水を供給する洗浄水供給路１０と、ボウル部４への給水を供給または遮断する電磁弁等の給水弁１１と、を備えている。この給水機構による洗浄水の供給動作（洗浄モード）の実行は、便器装置１の適所に設けられた洗浄操作部の操作によってなされるものでもよい。このような洗浄操作部としては、リモコン装置に設けられた操作ボタンやレバー等に限られず、人体検知センサーや着座センサー等の各種センサーを洗浄操作部として把握、つまり、検知有無を操作と把握するような態様としてもよい。
また、便器装置１は、図１（ａ）及び図２（ａ）に示すように、洗浄水供給路１０に向けて薬剤を供給する薬剤供給路２０を備えている。また、便器装置１は、この薬剤供給路２０に接続されるチューブ２６及びこのチューブ２６を押圧する押圧部２８が設けられた回転体２７を有したチューブポンプ２５を備えている。また、本実施形態では、便器装置１は、洗浄水供給路１０に、薬剤供給路２０の接続部としての細径部１５よりも上流側において洗浄水供給路１０に空気を導入する空気導入路１８を接続した構成とされている。
【００１３】
洗浄水供給路１０の途中部位には、洗浄水供給路１０に導入された空気及び薬剤を洗浄水に混入させる混合部１２が設けられている。給水弁１１は、この混合部１２よりも上流側の洗浄水供給路１０に設けられている。また、この混合部１２の下流側の洗浄水供給路１０の末端には、ボウル部４の上端に周方向に延びるように設けられたリム部に向けて洗浄水を供給する給水口１７が設けられている。
混合部１２は、空気導入路１８を経て導入される空気を洗浄水に混入させて気泡化させる気泡発生部（気液混合部）としても機能する構成とされている。この混合部１２は、空気導入路１８の導入口１８ａに臨むように開口１３ａが設けられ、ノズル状に形成された絞り部１３を備えている。この絞り部１３を経て吐出される洗浄水の負圧作用によるエゼクター効果によって、この絞り部１３の開口１３ａ及び空気導入路１８の導入口１８ａが開口する空気混入室に空気が取り込まれ、洗浄水に混入される。
【００１４】
空気導入路１８は、導入口１８ａを下方側に向けて開口させるように洗浄水供給路１０に接続されている。また、この空気導入路１８には、空気の通過を許容または遮断する電磁弁等の空気導入弁１９が設けられている。なお、このような空気導入弁１９に代えて、混合部１２とは異なる側となる大気側への逆流を防止する逆止弁を設けた構成としてもよく、さらには、このような弁を設けずに、洗浄水の漏出の抑制が可能なように、空気導入路１８を上方側に向けて立ち上げるように長尺状としてもよい。
【００１５】
また、混合部１２には、空気混入室の下流側に連なるように、縮径部１４、細径部１５及び拡径部１６が下流側に向けてこの順に設けられている。縮径部１４は、下流側に向かうに従い流路径（内径）が小さくなるように形成され、最小径部が細径部１５に連なる。細径部１５及び拡径部１６は、ベンチュリー管状に形成されている。拡径部１６は、上流側の最小径部が細径部１５に連なるように形成され、下流側に向かうに従い流路径（内径）が大きくなるように形成されている。上記のように空気混入室に導入された空気は、細径部１５及び拡径部１６を通過する際における圧力急変作用によってせん断されて細分化された気泡、例えば、ミリオーダーの気泡となる。
また、後記する薬剤供給路２０を経て薬剤が細径部１５に供給されれば、上記のように導入される空気と混合されて細径部１５を通過する際にさらに微細気泡化し、例えば、マイクロオーダーの微細気泡を含む薬剤混合洗浄水（泡洗浄水）の供給が可能となる。
【００１６】
薬剤供給路２０は、細径部１５の内周面において開口するように供給口２４ａを設けた構成とされている。本実施形態では、この薬剤供給路２０の供給口２４ａを、下方側に向けて開口するように設けた構成としている。
また、本実施形態では、薬剤供給路２０における洗浄水供給路１０との接続側となる下流側端部２４の流路径（内径）を、上流側よりも小としている。この下流側端部２４の流路径は、０．５ｍｍ〜２ｍｍ程度としてもよい。また、薬剤供給路２０は、上流側部位に設けられ略水平方向に延びる上流側流路２１と、この上流側流路２１の下方側に連なるようにかつ上流側流路２１に対して略直交状に設けられた下流側流路２３，２４と、を備えている。つまり、薬剤供給路２０は、上流側流路２１と下流側流路２３，２４とによって略Ｌ字管状とされている。
【００１７】
また、下流側流路２３，２４は、上下方向に延びるように設けられている。上記した細径部１５には、薬剤供給路２０の下流側流路２３，２４を受け入れる受入孔１５ａが設けられている。なお、このように細径部１５（洗浄水供給路１０）と薬剤供給路２０とを別体とした態様に代えて、一体的に形成した態様としてもよい。
また、下流側流路２３，２４の下流側端部２４よりも上流側部位の流路径及び上流側流路２１の流路径は、下流側端部２４の流路径の１．５倍〜５倍程度であってもよい。また、下流側流路２３，２４の下流側端部２４の流路長さは、下流側流路２３，２４の上流側部位の流路長さと概ね同長さとしてもよく、図例では、上流側部位の流路長さよりも僅かに大とした例を示している。
上流側流路２１には、後記するチューブポンプ２５のチューブ２６に連通するように接続される接続部２２が設けられている。図例では、チューブ２６の下流側端部と接続部２２とを接続管路を介して接続した例を示している。なお、薬剤供給路２０としては、このような略Ｌ字管状とされたものに限られず、略Ｓ字管状や略Ｕ字管状等、種々の形状とされたものでもよく、例えば、上記のような上下方向に延びる下流側流路２３，２４の上端部に接続部を設けたような態様等としてもよい。
【００１８】
チューブポンプ２５は、薬剤タンク３１（図１（ａ）参照）に貯留された薬剤を混合部１２に向けて送出する送出機構を構成する。薬剤タンク３１とチューブ２６の上流側端部とは、タンク側管路３２によって接続されている。なお、薬剤タンク３１に貯留される薬剤としては、界面活性剤を含む液体の中性洗剤等でもよい。また、薬剤タンク３１に薬剤の投入（補充）を可能とする適宜の開閉蓋等を設けたり、薬剤タンク３１を便器装置１に対して着脱可能な構成としたりしてもよい。
また、チューブポンプ２５は、駆動部を構成するポンプモーター２９（図１（ａ）参照）によって回転体（ローター）２７を回転させ、押圧部２８を移動させることで薬剤を送出（移送）する構成とされている。
ポンプモーター２９は、回転体２７を両方向（正回転及び逆回転）に回転させ得る構成とされている。このようなポンプモーター２９としては、ギアモーターや、回転位置の制御が可能なブレーキ付きモーター、サーボモーター等を採用するようにしてもよい。
【００１９】
回転体２７は、回転方向に間隔を空けて複数（本実施形態では、２つ）の押圧部２８，２８を設けた構成とされている。図例では、これら押圧部２８，２８を、回転体２７の回転軸に平行なローラー軸回りに回転自在とされた押圧ローラーとした例を示している。
また、このチューブポンプ２５の本体ケーシングには、図示は省略しているが、回転体２７の回転中心を円心とする円弧状（凹湾曲面状）に形成され、チューブ２６が沿わせられる内周壁面が設けられている。上記した押圧部２８，２８は、少なくとも一つの押圧部２８によって内周壁面に沿わせられたチューブ２６の押圧（押し潰し）が可能なように設けられている。
【００２０】
このようなチューブポンプ２５においては、回転体２７が停止され、チューブ２６を押し潰した状態では、チューブ２６の被押圧部位が閉塞されて封止され、薬剤の送出が不能（送出停止）となる。そのため、このチューブポンプ２５のチューブ２６の下流側の接続管路及び薬剤供給路２０には、薬剤の供給を遮断する弁等を設けていない構成としている。
また、回転体２７を停止状態から正回転させれば、押圧部２８，２８の移動に伴い、薬剤の自吸及び送出がなされる。つまり、押圧部２８が送出側（薬剤供給路２０側）に移動すれば、チューブ２６の押し潰されていた被押圧部位が復元する。この被押圧部位の復元に伴う負圧作用によってチューブ２６の上流側部位に送出元となる薬剤タンク３１（タンク側管路３２）側からの薬剤が流入する。また、押圧部２８がチューブ２６を順次、押し潰しながら送出側に移動し、上流側（押圧部２８の送出側への移動方向後方側）において薬剤を吸込みながら、下流側（押圧部２８の送出側への移動方向前方側）のチューブ２６内の薬剤が送出側に向けて送出される。なお、チューブポンプ２５としては、上記のような構成とされたものに限られず、その他、種々の構成とされたものの採用が可能である。
【００２１】
また、便器装置１は、回転体２７を正回転させて洗浄水供給路１０に向けて薬剤を供給する薬剤供給モードを実行させた後に、回転体２７を逆回転させて洗浄水供給路１０の流体を薬剤供給路２０内に吸引する吸引モードを実行させる制御部３０を備えている。上記した給水弁１１や空気導入弁１９、ポンプモーター２９、洗浄操作部、排出機構の駆動部等は、信号線等を介して制御部３０に接続されている。図例では、この制御部３０を、本体機構部９に設けたような例を示しているが、他の部位に設けるようにしてもよく、また、壁面等に設置されるリモコン装置に設けるようにしてもよい。
また、この制御部３０には、ＣＰＵ等の制御回路や、メモリ等によって構成され、各種動作プログラム等を記憶する記憶部等が設けられている。
【００２２】
また、本実施形態では、制御部３０は、洗浄水供給路１０への洗浄水の供給を停止させて洗浄水供給路１０に空気を導入させた後に、吸引モードを実行させる構成とされている。
以下、この制御部３０によって各部の制御がなされて実行される動作の一例について説明する。
洗浄操作がなされれば、図１（ｂ）に示すように、給水弁１１を開として洗浄水をボウル部４に供給する。これにより、ボウル部４の溜水や汚物の排出及び封水がなされ、ボウル部４の洗浄がなされる。この際、洗浄初期となる排出時間に応じて予め設定された所定の第１時間が経過するまでは、薬剤を混入させずに、空気を混入させた気泡混合洗浄水をボウル部４に供給するようにしている。つまり、洗浄初期には、ポンプモーター２９を停止（ＯＦＦ）させた状態で、給水弁１１及び空気導入弁１９を開放させて空気導入路１８を介して空気を導入させながら気泡混合洗浄水をボウル部４に供給する。つまりは、洗浄初期には、薬剤を混入させていない洗浄水を供給する洗浄水供給モードを実行させる構成としている。
【００２３】
そして、第１時間が経過すれば、洗浄後期となる封水時間に応じて予め設定された所定の第２時間が経過するまで、上記した微細気泡を含む泡洗浄水をボウル部４に供給するようにしている。つまり、洗浄後期には、給水弁１１及び空気導入弁１９を開放させたままで、ポンプモーター２９を正回転側に起動（ＯＮ）し、回転体２７を正回転させて洗浄水に薬剤を混入させ、微細気泡を含む泡洗浄水をボウル部４に供給する（図２（ａ）も参照）。つまりは、洗浄後期に薬剤供給モードを実行させる構成としている。また、第２時間が経過すれば、ポンプモーター２９を停止（ＯＦＦ）させ、薬剤の供給を停止させる。図例では、ポンプモーター２９を停止させた後も所定の第１遅延時間が経過するまで給水弁１１を開放させたままとした例を示している。この第１遅延時間は、混合部１２の下流側の洗浄水供給路１０内の泡洗浄水が給水口１７から排出されて洗浄水に置換される程度の適宜の時間としてもよく、さらには、このような第１遅延時間を設けていない態様としてもよい。
【００２４】
また、ポンプモーター２９を停止させ、給水弁１１を閉とした後、洗浄水供給路１０に空気を導入させて洗浄水供給路１０内の洗浄水（または泡洗浄水）を空気に置換させてからポンプモーター２９を逆回転側に起動（ＯＮ）し、回転体２７を逆回転させる構成としている。つまり、洗浄水供給路１０に空気を導入させてから吸引モードを実行させる構成としている。
図例では、ポンプモーター２９を停止させ、給水弁１１を閉とした後、所定の第２遅延時間が経過するまで空気導入弁１９を開放させたままとしている。この第２遅延時間は、混合部１２近傍部位及びこれの下流側の洗浄水供給路１０内の洗浄水（または泡洗浄水）が給水口１７から排出されて空気に置換される程度の適宜の時間としてもよい。
【００２５】
上記のように回転体２７を逆回転させれば、図２（ｂ）に示すように、洗浄水供給路１０内の流体としての空気が薬剤供給路２０内に吸引される。つまり、薬剤供給路２０内の薬剤が上流側に引き込まれるように逆流し、薬剤供給路２０の下流側端部２４には、洗浄水供給路２０の空気が吸い込まれた状態となる。つまりは、薬剤の供給直後は、図２（ａ）に示すように、薬剤供給路２０の供給口２４ａまで薬剤で略満たされた状態であるが、吸引モードの実行により、薬剤が上流側に後退するように気液界面が上昇する。このように薬剤供給路２０の気液界面が上流側に後退した状態で、次回の薬剤供給モードの実行がなされるまで待機状態とされる。
図例では、薬剤供給路２０の下流側端部２４及びこれの上流側の下流側流路２３の途中部位まで空気を吸い込ませた例を示している。なお、このような態様に代えて、少なくとも下流側端部２４の全体に空気を吸い込ませた態様等としてもよい。このような薬剤供給路２０への空気の吸込量、つまり、回転体２７を逆回転させる角度は、洗浄水供給路１０に供給される洗浄水の負圧作用による薬剤の漏出を抑制する観点等から適宜の角度としてもよい。
【００２６】
なお、上記した薬剤供給モード及び吸引モードは、洗浄操作に伴う洗浄モードにおいてなされるものに限られず、例えば、ボウル部４の溜水の喫水面を泡で覆うように泡洗浄水を供給する泡供給モードにおいてなされるものでもよい。このような泡供給モードは、便座７の起立を検知する検知部が便座７の起立を検知すれば、実行するようにしてもよく、また、適宜の操作部の操作がなされれば、実行するようにしてもよい。このような泡供給モードを実行可能な構成とすれば、例えば、立位状態において使用される際における尿等の跳ね返りを抑制することができる。なお、泡供給モード実行時における洗浄水（泡洗浄水）の供給時間は、洗浄モード実行時における洗浄水（泡洗浄水）の供給時間よりも短くしてもよい。上記のような薬剤供給モード及び吸引モードとしては、上記のような態様に限られず、その他、種々の変形が可能である。また、少なくとも所定時間が経過する毎に、押圧部２８によって押圧されたチューブ２６の被押圧部位が開放される所定角度となるまで回転体２７を逆回転させた後、回転前の角度となるまで正回転させる待機回転モードを実行する構成としてもよい。これによれば、長時間に亘って薬剤供給モードの実行がなされないような場合にも、チューブ２６の被押圧部位が言わば定期的に開放されるので、チューブ２６の被押圧部位の復元不良を抑制することができる。
【００２７】
本実施形態に係る便器装置１は、上述のような構成としたことで、ポンプ停止状態における洗浄水への薬剤の混入を低減することができる。
つまり、チューブポンプ２５の回転体２７を正回転させて洗浄水供給路１０に向けて薬剤を供給する薬剤供給モードを実行させる制御部３０を備えた構成としている。従って、薬剤が含まれた洗浄水をボウル部４に向けて供給することができ、ボウル部４を効果的に洗浄することができる。また、本実施形態では、上記のように、微細な多量の気泡を含んだ泡洗浄水を供給可能な構成としているので、ボウル部４の溜水の喫水面を泡で覆うことができ、ボウル部４内面の喫水線部への水垢の固着や、尿等の跳ね返りを抑制することができる。
【００２８】
また、制御部３０は、薬剤供給モードを実行させた後に、回転体２７を逆回転させて洗浄水供給路１０の流体を薬剤供給路２０内に吸引する吸引モードを実行させる構成とされている。従って、上述のように、チューブポンプ２５を逆回転させることで、薬剤供給路２０の下流側端部２４に洗浄水供給路１０の流体が吸い込まれた状態となる。これにより、チューブポンプ２５を停止させた状態で、洗浄水が洗浄水供給路１０を通過した際にも、薬剤が洗浄水供給路１０に向けて供給され難くなり、チューブポンプ２５を停止させた状態における洗浄水への薬剤の混入を低減することができる。また、上記のような回転体２７を定期的に逆回転及び正回転させる待機回転モードを実行する際にも、薬剤供給路２０の供給口２４ａまで薬剤で略満たされたようなものと比べて、洗浄水供給路１０への薬剤の漏出を抑制することができる。
【００２９】
また、本実施形態では、洗浄水供給路１０に空気を導入する空気導入路１８を設けた構成としている。従って、上述のように洗浄水供給路１０を通過する洗浄水に気泡を含ませることができ、気泡を含んだ気泡混合洗浄水をボウル部４に向けて供給することができる。また、制御部３０は、洗浄水供給路１０への洗浄水の供給を停止させて洗浄水供給路１０に空気を導入させた後に、吸引モードを実行させる構成とされている。従って、吸引モードを実行すれば、洗浄水供給路１０の流体としての空気を薬剤供給路２０に吸い込ませることができ、流体を洗浄水としたものと比べて、ポンプ停止状態における洗浄水への薬剤の混入をより効果的に低減することができる。つまり、薬剤供給路２０に吸い込ませた流体が洗浄水であれば、洗浄水の通過によって洗浄水供給路１０が負圧となった際に、洗浄水の粘性によって薬剤もともに洗浄水供給路１０に吸引され易くなる。薬剤供給路２０に吸い込ませた流体が空気であれば、上記のように洗浄水の通過によって洗浄水供給路１０が負圧となった場合にも空気が優先的に洗浄水供給路１０に吸引され、ポンプ停止状態における洗浄水への薬剤の混入をより効果的に低減することができる。
【００３０】
また、本実施形態では、薬剤供給路２０の下流側端部２４の流路径を、その上流側よりも小としている。従って、上流側から下流側端部２４まで薬剤供給路２０の流路径を大径で同径としたものと比べて、下流側端部２４における抵抗が大きくなる。これにより、ポンプ停止状態で洗浄水が洗浄水供給路１０を通過した際における洗浄水供給路１０への薬剤の供給をより効果的に低減することができる。なお、本実施形態では、下流側流路２３の上流側部位と下流側端部２４との境界部に段差を設けた例を示しているが、下流側流路２３の上流側部位から下流側端部２４に向けて徐々に小径状とした態様等としてもよい。
【００３１】
次に、本発明に係る他の実施形態について、図面を参照しながら説明する。
なお、以下の実施形態では、第１実施形態との相違点について主に説明し、同様の構成については、同一の符号を付し、その説明を省略または簡略に説明する。
図３は、第２実施形態に係る便器装置の一例を模式的に示す図である。
【００３２】
本実施形態に係る便器装置１Ａは、図３（ａ）に示すように、薬剤供給路２０Ａの構成が上記第１実施形態とは主に異なる。
本実施形態では、薬剤供給路２０Ａは、上記と概ね同様、略水平方向に延びる上流側流路２１と、この上流側流路２１に対して略直交状に設けられた下流側流路２３Ａと、を備えているが、下流側流路２３Ａの構成が異なる。本実施形態では、下流側流路２３Ａに、上記のような上流側よりも小径状とされた流路を設けておらず、下流側流路２３Ａを、全体に亘って同径状としている。つまり、薬剤供給路２０Ａの供給口２３ａは、上記第１実施形態よりも大径状とされている。この下流側流路２３Ａの流路径は、例えば、２ｍｍ〜５ｍｍ程度であってもよい。また、上下方向に延びる下流側流路２３Ａの長さを、上記第１実施形態よりも短くしている。洗浄水供給路１０の細径部１５Ａには、この下流側流路２３Ａを受け入れる受入孔１５Ａａが設けられている。
【００３３】
また、本実施形態では、制御部３０（図１（ａ）参照）は、図３（ｂ）に示すように、洗浄水供給路１０の流体が上流側流路２１に至るように吸引モードを実行させる構成としている。また、本実施形態においても、洗浄水供給路１０に空気を導入させてから吸引モードを実行させる構成としている。図例では、上流側流路２１の途中部位まで空気を吸い込ませた例を示しているが、上記同様、洗浄水供給路１０に供給される洗浄水の負圧作用による薬剤の漏出を抑制する観点等から適宜の吸込量としてもよい。
本実施形態に係る便器装置１Ａにおいても、上記第１実施形態と概ね同様の効果を奏する。また、吸引モードにおいて、上下方向に延びるように設けられた薬剤供給路（下流側流路２３Ａ）のみに洗浄水供給路１０の流体を吸い込ませる構成としたものと比べて、ポンプ停止状態における洗浄水への薬剤の混入をより効果的に低減することができる。
【００３４】
なお、本実施形態では、互いに略直交状とされた上流側流路２１と下流側流路２３Ａとを略同径状とした例を示しているが、下流側流路２３Ａの流路径を、上流側流路２１よりも小径状等としてもよい。
また、上記各実施形態では、薬剤供給路２０，２０Ａの上流側流路２１を略水平方向に延びるものとした例を示しているが、このような態様に限られない。例えば、上流側流路２１を、下流側流路２３，２３Ａから離れるに従い下るように傾斜する傾斜形状としてもよい。このような上流側流路２１に洗浄水供給路１０の流体が至るように吸引モードを実行させる構成とすれば、ポンプ停止状態における洗浄水への薬剤の混入をより効果的に低減することができる。
【００３５】
また、上記各実施形態では、吸引モードにおいて、洗浄水供給路１０に導入された空気を薬剤供給路２０，２０Ａに吸い込ませる構成とした例を示しているが、洗浄水を吸い込ませる構成としてもよい。この場合は、空気導入路１８等を設けていない構成としてもよい。
また、上記各実施形態では、薬剤供給路２０，２０Ａの供給口２４ａ，２３ａを、洗浄水供給路１０の内周面において下方側に向けて開口させた例を示しているが、洗浄水供給路１０の内周面において側方等に向けて開口させた構成としてもよい。つまり、薬剤供給路２０，２０Ａを、洗浄水供給路１０の上方側から接続した態様に代えて、側方側から接続した態様等としてもよい。上記各実施形態に係る便器装置１，１Ａの各部の具体的構成は、上記したような構成に限られず、その他、種々の変形が可能である。
【符号の説明】
【００３６】
１，１Ａ      便器装置
４            ボウル部
１０          洗浄水供給路
１５          細径部（薬剤供給路の接続部）
１８          空気導入路
２０，２０Ａ  薬剤供給路
２１          上流側流路
２３Ａ        下流側流路
２４          下流側端部
２５          チューブポンプ
２６          チューブ
２７          回転体
２８          押圧部
【図１】
2019027065.tif 000003
【図２】
2019027065.tif 000004
【図３】
2019027065.tif 000005